(57)【要約】【課題】最適な起床時刻または起床時間を報知して、これにより、すっきりした目覚めで起床させる。【解決手段】睡眠センサー１７を備える睡眠センサー付腕時計１００において、睡眠センサーにより検出された脈拍数に基づいて取得された、就寝を開始してから入眠するまでの入眠時間を入眠時間情報１６３ａとして事前に記憶するＲＡＭ１６３と、入眠時間情報を事前に記憶しておいた後に、希望する眠り希望時間を指定すると、当該眠り希望時間と入眠時間とに基づいて算出された起床予想時刻及び起床予想時間を、就寝前の時点、睡眠後の起床予想時刻の到来時及び起床予想時間の経過時のうちの少なくとも一つの時点で報知部１９から報知する制御を行うＣＰＵ１６１とを備えている。【選択図】図１６
2007199025.tif 000002
【特許請求の範囲】
【請求項１】
身体と接触する接触部に設けられ、前記身体の生体情報を検出する睡眠センサーを備える睡眠センサー付身体装着装置において、
希望する眠り希望時間を指定する時間指定手段と、
前記睡眠センサーにより検出された前記生体情報に基づいて、就寝を開始してから入眠するまでの入眠時間を取得する入眠時間取得手段と、
前記入眠時間取得手段により取得された前記入眠時間を事前に記憶する入眠時間記憶手段と、
前記入眠時間記憶手段に前記入眠時間を事前に記憶しておいた後に、前記時間指定手段により前記眠り希望時間を指定すると、当該眠り希望時間と前記入眠時間記憶手段に事前に記憶されている前記入眠時間とに基づいて、起床予想時刻及び起床予想時間のうちの少なくとも一方を算出する起床予想時算出手段と、
前記起床予想時算出手段により算出された前記起床予想時刻及び前記起床予想時間の少なくとも一方を報知する報知制御手段と、
を備えることを特徴とする睡眠センサー付身体装着装置。
【請求項２】
前記報知制御手段は、前記時間指定手段により前記眠り希望時間を指定した直後の就寝前の時点、前記起床予想時刻の到来時及び前記起床予想時間の経過時の少なくとも一つの時点で報知することを特徴とする請求項１に記載の睡眠センサー付身体装着装置。
【請求項３】
身体と接触する接触部に設けられ、前記身体の生体情報を検出する睡眠センサーを備える睡眠センサー付身体装着装置において、
希望する眠り希望時間を指定する時間指定手段と、
前記睡眠センサーにより検出された前記生体情報に基づいて、就寝を開始してから入眠するまでの入眠時間を取得する入眠時間取得手段と、
前記入眠時間取得手段により取得された前記入眠時間を事前に記憶する入眠時間記憶手段と、
前記入眠時間記憶手段に前記入眠時間を事前に記憶しておいた後に、前記時間指定手段により前記眠り希望時間を指定すると、当該眠り希望時間と前記入眠時間記憶手段に事前に記憶されている前記入眠時間とに基づいて、起床予想時刻及び起床予想時間のうちの少なくとも一方を算出する起床予想時算出手段と、
就寝後に前記睡眠センサーにより検出される前記生体情報に基づいて、前記起床予想時算出手段により算出された前記起床予想時刻の到来時及び前記起床予想時間の経過時の近くの時点で前記身体が浅い睡眠状態となっているか否かを判定する睡眠状態判定手段と、
前記睡眠状態判定手段により前記浅い睡眠状態となっていると判定された場合に、起床時であることを報知する報知制御手段と、
を備えることを特徴とする睡眠センサー付身体装着装置。
【請求項４】
身体と接触する接触部に設けられ、前記身体の生体情報を検出する睡眠センサーを備える睡眠センサー付身体装着装置において、
前記身体の就寝前の状況を指定する状況指定手段と、
前記睡眠センサーにより検出された前記生体情報に基づいて、起床までの睡眠状態を検出する睡眠状態検出手段と、
前記状況指定手段により指定された前記就寝前の状況と前記睡眠状態検出手段により検出された前記睡眠状態とを対応付けて事前に記憶する睡眠状態記憶手段と、
前記睡眠状態記憶手段に前記就寝前の状況と前記睡眠状態を事前に記憶しておいた後に、前記状況指定手段により前記就寝前の状況を指定すると、当該就寝前の状況に対応付けられて前記睡眠状態記憶手段に記憶されている前記睡眠状態に基づいて、前記就寝前の状況に対応した起床予想時刻及び起床予想時間のうちの少なくとも一方を特定する起床予想時特定手段と、
前記起床予想時特定手段により特定された前記起床予想時刻及び前記起床予想時間を報知する報知制御手段と、
を備えることを特徴とする睡眠センサー付身体装着装置。
【請求項５】
前記報知制御手段は、前記時間指定手段により前記眠り希望時間を指定した直後の就寝前の時点、前記起床予想時刻の到来時及び前記起床予想時間の少なくとも一つの時点で報知することを特徴とする請求項４に記載の睡眠センサー付身体装着装置。
【請求項６】
身体と接触する接触部に設けられ、前記身体の生体情報を検出する睡眠センサーを備える睡眠センサー付身体装着装置において、
前記身体の就寝前の状況を指定する状況指定手段と、
前記睡眠センサーにより検出された前記生体情報に基づいて、起床までの睡眠状態を検出する睡眠状態検出手段と、
前記状況指定手段により指定された前記就寝前の状況と前記睡眠状態検出手段により検出された前記睡眠状態とを対応付けて事前に記憶する睡眠状態記憶手段と、
前記睡眠状態記憶手段に前記就寝前の状況と前記睡眠状態を事前に記憶しておいた後に、前記状況指定手段により前記就寝前の状況を指定すると、当該就寝前の状況に対応付けられて前記睡眠状態記憶手段に記憶されている前記睡眠状態に基づいて、前記就寝前の状況に対応した起床予想時刻及び起床予想時間のうちの少なくとも一方を特定する起床予想時特定手段と、
就寝後に前記睡眠センサーにより検出される前記生体情報に基づいて、前記起床予想時特定手段により特定された前記起床予想時刻の到来時及び前記起床予想時間の経過時の近くの時点で前記身体が浅い睡眠状態となっているか否かを判定する睡眠状態判定手段と、
前記睡眠状態判定手段により前記浅い睡眠状態となっていると判定された場合に、起床時であることを報知する報知制御手段と、
を備えることを特徴とする睡眠センサー付身体装着装置。
【発明の詳細な説明】
【技術分野】
【０００１】
本発明は、睡眠センサーを備えた身体に装着可能な睡眠センサー付身体装着装置に関する。
【背景技術】
【０００２】
従来から、仮眠や睡眠など、希望する眠り希望時間を指定すると、当該眠り希望時間の経過後に起床時刻が到来したとしてアラーム音などで報知するタイムアラーム技術が知られている。
また、脈拍センサーを用いて指などから脈拍数を検出することで身体の睡眠状態の変化を検出し、入眠後に、一般的な睡眠の周期である９０分を所定の自然数で積算した時間にアラーム音を出して目覚めさせる技術を腕時計に適用したものが提案されている（例えば、特許文献１参照）。
【特許文献１】特開２００３−７９５８８号公報
【発明の開示】
【発明が解決しようとする課題】
【０００３】
しかしながら、上記タイムアラーム技術においては、就寝を開始してから入眠するまでの時間を考慮していないため、実際の睡眠時間は眠り希望時間よりも短くなってしまう。このため、アラーム音などで報知してくれる時刻が最適な起床時刻でない場合もあり、すっきりした目覚めで起床することができないという問題がある。
また、特許文献１等のように、睡眠の周期を９０分としてアラーム音で起床時刻を報知しても、睡眠周期には個人差があるため、すっきりした目覚めで起床することができない人も生じてしまう。さらに、就寝前に食事をとったり運動を行ったりすると、睡眠の周期や睡眠状態が通常時に比べて変動する場合もあるため、通常時と同様の処理を行ってもすっきりした目覚めで起床することができないという問題がある。
【０００４】
そこで、本発明の課題は、最適な起床時刻又は起床時間のうちの少なくとも一方を希望する時点で報知することができ、これにより、すっきりした目覚めで起床させることができる睡眠センサー付身体装着装置を提供することである。
【課題を解決するための手段】
【０００５】
請求項１に記載の発明は、
身体（例えば、図２の腕Ａ等）と接触する接触部（例えば、図４の裏蓋１８等）に設けられ、前記身体の生体情報を検出する睡眠センサー（例えば、図４の睡眠センサー１７等）を備える睡眠センサー付身体装着装置（例えば、図１の睡眠センサー付き腕時計１００等）において、
希望する眠り希望時間を指定する時間指定手段（例えば、図５のキースイッチ部１２等）と、
前記睡眠センサーにより検出された前記生体情報に基づいて、就寝を開始してから入眠するまでの入眠時間を取得する入眠時間取得手段（例えば、図５のＣＰＵ１６１等）と、
前記入眠時間取得手段により取得された前記入眠時間を事前に記憶する入眠時間記憶手段（例えば、図５のＲＡＭ１６３等）と、
前記入眠時間記憶手段に前記入眠時間を事前に記憶しておいた後に、前記時間指定手段により前記眠り希望時間を指定すると、当該眠り希望時間と前記入眠時間記憶手段に事前に記憶されている前記入眠時間とに基づいて、起床予想時刻及び起床予想時間のうちの少なくとも一方を算出する起床予想時算出手段（例えば、図５のＣＰＵ１６１等）と、
前記起床予想時算出手段により算出された前記起床予想時刻及び前記起床予想時間の少なくとも一方を報知する報知制御手段（例えば、図５のＣＰＵ１６１、表示部１４、報知部１９等）と、
を備えることを特徴としている。
【０００６】
請求項２に記載の発明は、請求項１に記載の睡眠センサー付身体装着装置において、
前記報知制御手段は、前記時間指定手段により前記眠り希望時間を指定した直後の就寝前の時点、前記起床予想時刻の到来時及び前記起床予想時間の経過時のうちの少なくとも一つの時点で報知することを特徴としている。
【０００７】
請求項３に記載の発明は、
身体（例えば、図２の腕Ａ等）と接触する接触部（例えば、図４の裏蓋１８等）に設けられ、前記身体の生体情報を検出する睡眠センサー（例えば、図４の睡眠センサー１７等）を備える睡眠センサー付身体装着装置（例えば、図１の睡眠センサー付き腕時計１００等）において、
希望する眠り希望時間を指定する時間指定手段（例えば、図５のキースイッチ部１２等）と、
前記睡眠センサーにより検出された前記生体情報に基づいて、就寝を開始してから入眠するまでの入眠時間を取得する入眠時間取得手段（例えば、図５のＣＰＵ１６１等）と、
前記入眠時間取得手段により取得された前記入眠時間を事前に記憶する入眠時間記憶手段（例えば、図５のＲＡＭ１６３等）と、
前記入眠時間記憶手段に前記入眠時間を事前に記憶しておいた後に、前記時間指定手段により前記眠り希望時間を指定すると、当該眠り希望時間と前記入眠時間記憶手段に事前に記憶されている前記入眠時間とに基づいて、起床予想時刻及び起床予想時間のうちの少なくとも一方を算出する起床予想時算出手段（例えば、図５のＣＰＵ１６１等）と、
就寝後に前記睡眠センサーにより検出された前記生体情報に基づいて、前記起床予想時算出手段により算出された前記起床予想時刻の到来時及び前記起床予想時間の経過時の近くの時点で前記身体が浅い睡眠状態となっているか否かを判定する睡眠状態判定手段（例えば、図５のＣＰＵ１６１等）と、
前記睡眠状態判定手段により前記浅い睡眠状態となっていると判定された場合に、起床時であることを報知する報知制御手段（例えば、図５のＣＰＵ１６１、表示部１４、報知部１９等）と、
を備えることを特徴としている。
【０００８】
請求項４に記載の発明は、
身体（例えば、図２の腕Ａ等）と接触する接触部（例えば、図４の裏蓋１８等）に設けられ、前記身体の生体情報を検出する睡眠センサー（例えば、図４の睡眠センサー１７等）を備える睡眠センサー付身体装着装置（例えば、図１の睡眠センサー付き腕時計１００等）において、
前記身体の就寝前の状況を指定する状況指定手段（例えば、図５のキースイッチ部１２等）と、
前記睡眠センサーにより検出された前記生体情報に基づいて、起床までの睡眠状態を検出する睡眠状態検出手段（例えば、図５のＣＰＵ１６１等）と、
前記状況指定手段により指定された前記就寝前の状況と前記睡眠状態検出手段により検出された前記睡眠状態とを対応付けて事前に記憶する睡眠状態記憶手段（例えば、図５のＲＡＭ１６３等）と、
前記睡眠状態記憶手段に前記就寝前の状況と前記睡眠状態を事前に記憶しておいた後に、前記状況指定手段により前記就寝前の状況を指定すると、当該就寝前の状況に対応付けられて前記睡眠状態記憶手段に記憶されている前記睡眠状態に基づいて、前記就寝前の状況に対応した起床予想時刻及び起床予想時間のうちの少なくとも一方を特定する起床予想時特定手段（例えば、図５のＣＰＵ１６１等）と、
前記起床予想時特定手段により特定された前記起床予想時刻及び前記起床予想時間のうちの少なくとも一方を報知する報知制御手段（例えば、図５のＣＰＵ１６１、表示部１４、報知部１９等）と、
を備えることを特徴としている。
【０００９】
請求項５に記載の発明は、請求項４に記載の睡眠センサー付身体装着装置において、
前記報知制御手段は、前記時間指定手段により前記眠り希望時間を指定した直後の就寝前の時点、前記起床予想時刻の到来時及び前記起床予想時間の経過時のうちの少なくとも一つの時点で報知することを特徴としている。
【００１０】
請求項６に記載の発明は、
身体（例えば、図２の腕Ａ等）と接触する接触部（例えば、図４の裏蓋１８等）に設けられ、前記身体の生体情報を検出する睡眠センサー（例えば、図４の睡眠センサー１７等）を備える睡眠センサー付身体装着装置（例えば、図１の睡眠センサー付き腕時計１００等）において、
前記身体の就寝前の状況を指定する状況指定手段（例えば、図５のキースイッチ部１２等）と、
前記睡眠センサーにより検出された前記生体情報に基づいて、起床までの睡眠状態を検出する睡眠状態検出手段（例えば、図５のＣＰＵ１６１等）と、
前記状況指定手段により指定された前記就寝前の状況と前記睡眠状態検出手段により検出された前記起床時刻とを対応付けて事前に記憶する睡眠状態記憶手段（例えば、図５のＲＡＭ１６３等）と、
前記睡眠状態記憶手段に前記就寝前の状況と前記睡眠状態を事前に記憶しておいた後に、前記状況指定手段により前記就寝前の状況を指定すると、当該就寝前の状況に対応付けられて前記睡眠状態記憶手段に記憶されている前記睡眠状態に基づいて、前記就寝前の状況に対応した起床予想時刻及び起床予想時間のうちの少なくとも一方を特定する起床予想時特定手段（例えば、図５のＣＰＵ１６１等）と、
就寝後に前記睡眠センサーにより検出される前記生体情報に基づいて、前記起床予想時特定手段により特定された前記起床予想時刻の到来時及び前記起床予想時間の経過時の近くの時点で前記身体が浅い睡眠状態となっているか否かを判定する睡眠状態判定手段（例えば、図５のＣＰＵ１６１等）と、
前記睡眠状態判定手段により前記浅い睡眠状態となっていると判定された場合に、起床時であることを報知する報知制御手段（例えば、図５のＣＰＵ１６１、表示部１４、報知部１９等）と、
を備えることを特徴としている。
【発明の効果】
【００１１】
請求項１に記載の発明によれば、就寝を開始してから入眠するまでの入眠時間を事前に記憶しておいた後に、希望する眠り（仮眠又は睡眠などの眠り）希望時間を指定すると、当該眠り希望時間と事前に記憶されている入眠時間とに基づいて、起床予想時刻や起床予想時間を算出することができる。即ち、ユーザの個人差を考慮した入眠時間に基づいて、起床予想時刻や起床予想時間を算出することができることとなって、起床予想時刻や起床予想時間、すなわちユーザにとって最適な起床時刻又は起床時間を報知することができ、これにより、ユーザをすっきりした目覚めで起床させることができる。
【００１２】
請求項２に記載の発明によれば、請求項１に記載の発明と同様の効果が得られるのは無論のこと、就寝前にも、また起床予想時刻の到来時点及び起床予想時間の経過時点にも報知することができるので、ユーザは就寝前の段階で起床予想時刻及び起床予想時間を認識することができることとなる。また、睡眠後は起床予想時刻の到来時若しくは起床予想時間の経過時に報知することで、ユーザは起床時であることを認識することができることとなる。これによって、より使い勝手の良い睡眠センサー付身体装着装置を提供することができる。
【００１３】
請求項３に記載の発明によれば、就寝を開始してから入眠するまでの入眠時間を事前に記憶しておいた後に、希望する眠り（仮眠又は睡眠などの眠り）希望時間を指定すると、当該眠り希望時間と事前に記憶されている入眠時間とに基づいて、起床予想時刻や起床予想時間を算出することができる。即ち、ユーザの個人差を考慮した入眠時間に基づいて、起床予想時刻や起床予想時間を算出することができる。
そして、当該起床予想時刻の到来時及び起床予想時間の経過時の近くの時点で身体が浅い睡眠状態となった場合に、起床時であることを報知部から報知することができるので、ユーザにとって最適な起床時刻を報知することができることとなって、これにより、ユーザをすっきりした目覚めで起床させることができる。
【００１４】
請求項４に記載の発明によれば、睡眠状態（例えば、身体が睡眠状態から覚醒状態となった起床時刻）を身体の就寝前の状況と対応付けて事前に記憶しておいた後に、就寝前の状況を指定すると、当該就寝前の状況に対応付けられて記憶されている睡眠状態（例えば起床時刻）に基づいて、就寝前の状況に対応した起床予想時刻や起床予想時間を特定することができる。即ち、ユーザの就寝前の状況を考慮して、起床予想時刻や起床予想時間を特定することができることとなって、当該起床予想時刻や起床予想時間をユーザにとって最適な起床時刻として報知することができ、これにより、ユーザをすっきりした目覚めで起床させることができる。
【００１５】
請求項５に記載の発明によれば、請求項４に記載の発明と同様の効果が得られるのは無論のこと、就寝前にも、また起床予想時刻の到来時点及び起床予想時間の経過時点にも報知することができるので、ユーザは就寝前の段階で起床予想時刻及び起床予想時間を認識することができることとなる。また、睡眠後は、起床予想時刻の到来時若しくは起床予想時間の経過時に報知することで、ユーザは起床時であることを認識することができることとなる。これによって、より使い勝手の良い睡眠センサー付身体装着装置を提供することができる。
【００１６】
請求項６に記載の発明によれば、睡眠状態（例えば身体が睡眠状態から覚醒状態となった起床時刻）を身体の就寝前の状況と対応付けて事前に記憶しておいた後に、就寝前の状況を指定すると、当該就寝前の状況に対応付けられて記憶されている睡眠状態（例えば起床時刻）に基づいて、就寝前の状況に対応した起床予想時刻や起床予想時間を特定することができる。即ち、ユーザの就寝前の状況を考慮して、起床予想時刻や起床予想時間を特定することができる。
そして、当該起床予想時刻の到来時若しくは起床予想時間の経過時の近くの時点で身体が浅い睡眠状態となった場合に、起床時であることを報知することができるので、ユーザにとって最適な起床時刻を報知することができることとなって、これにより、ユーザをすっきりした目覚めで起床させることができる。
【発明を実施するための最良の形態】
【００１７】
以下に、本発明について、図面を用いて具体的な態様を説明する。ただし、発明の範囲は、図示例に限定されない。
図１は、本発明を適用した睡眠センサー付身体装着装置の好適な一実施形態として例示する睡眠センサー付腕時計１００を示す斜視図である。また、図２は、睡眠センサー付腕時計１００を示す側面図あり、図３は、睡眠センサー付腕時計１００を示す平面図である。また、図４は、睡眠センサー付腕時計１００の内部構造を模式的に示した断面図である。また、図５は、睡眠センサー付腕時計１００の要部構成を示すブロック図である。
【００１８】
本実施形態の睡眠センサー付腕時計１００は、ユーザの腕Ａ、好ましくは手首に装着され、脈拍数から身体の覚醒状態・睡眠状態を判定して所定の時刻（時間）に起床させるためのものである。この睡眠センサー付腕時計１００は、図１〜図５等に示すように、時計本体部１と、この時計本体部１を腕Ａに装着させるための身体装着部２とを備えて構成されている。
【００１９】
このうち、身体装着部２は、例えば、図１及び図２等に示すように、時計本体部１の一端部（例えば、図２における右端部）から延出され、腕Ａに巻かれるように当該腕Ａの表面に沿って湾曲して形成されている。
また、身体装着部２の内側の所定位置には、例えば、形状記憶性の低反発素材（例えば、低反発ウレタン等）からなり、腕Ａの表面の形状に応じて変形する装着部側腕密着部２１、２１が設けられている。これにより、睡眠センサー付腕時計１００の腕Ａに対する密着性を高めることができるようになっている（図２参照）。
【００２０】
時計本体部１は、例えば、現在時刻や起床予想時刻及び起床予想時間（図３参照）等をデジタル表示するものである。具体的には、時計本体部１は、図３〜図５等に示すように、時計ケース１１と、時計本体部１の側面部に設けられ、複数のスイッチを有するキースイッチ部１２と、時計ケース１１の上端に取り付けられた時計ガラス１３と、時計ガラス１３よりも腕Ａ側（図４における下側）に設けられ、デジタル表示機能を具備する表示部１４と、表示部１４よりも腕Ａ側に設けられた時計モジュール１５と、時計モジュール１５よりも腕Ａ側に設けられたプリント基板１６と、プリント基板１６よりも腕Ａ側に設けられた睡眠センサー１７と、時計ケース１１の下端よりも腕Ａ側に設けられた裏蓋１８と、起床予想時刻や起床予想時間等を報知する報知部１９等を備えている。
【００２１】
表示部１４は、例えば、図示は省略するが、上下一対でそれぞれ透明電極が設けられた光透過基板間に液晶を封入した液晶セルと、この液晶セルの上面に設けられた上偏光板と、液晶セルの下面に設けられた下偏光板とを備え、液晶セルの一対の透明電極間に電圧を印加することによって、時刻などの各種情報を表示する。
具体的には、表示部１４は、例えば、「１．飲食」、「２．運動（フィットネス）」、「３．運動（ヨガ）」、「４．飲酒」、「５．勉強」、・・・、「１０．香をたく」等のユーザが就寝前に行った状況の選択指示に係る就寝前状況メニューｇ１（図１２（ａ）参照）を表示する。
また、表示部１４は、例えば、「１．極めてすっきり」、「２．ややすっきり」、・・・、「９．二日酔い状態」、「１０．極めて目覚め悪い」等のユーザの起床時の状況の選択指示に係る起床時状況メニューｇ２（図１２（ｂ）参照）を表示する。
また、表示部１４は、例えば、「１．３０分」、「２．４５分」、「３．６０分（１時間）」、「４．７５分」、「５．９０分（１時間半）」、・・・、「１０．Ｎ分（Ｍ時間）」等のユーザが仮眠又は睡眠を望む眠り希望時間の選択指示に係る眠り希望時間選択画面ｇ３（図１５（ｂ）参照）を表示する。
【００２２】
さらに、表示部１４は、起床予想時算出処理にて算出された起床予想時間及び起床予想時刻等からなる第一の起床予想時画面ｇ４１（図１５（ｃ）参照）や、起床予想時特定処理にて特定された起床予想時刻及びその起床状態予想コメント等からなる第二の起床予想時画面ｇ４２（図１８（ｂ）参照）等の起床予想時画面ｇ４を表示する。従って、表示部１４は、起床予想時刻や起床予想時間を就寝前に報知する報知制御手段を構成している。
【００２３】
なお、表示部１４には、例えば、図示は省略するが、発光ダイオード（Light Emitting Diode）等の発光手段が設けられており、これにより、当該表示部１４に対して光を照射して、暗所でもユーザが現在時刻等の情報を視認することができるようになっている。
【００２４】
時計モジュール１５は、例えば、常時一定周波数の信号を出力する発振部（図示略）から入力される信号を計数して現在時刻データ等を取得する計時部１５１を備えている。そして、この計時部１５１で取得された現在時刻データ等はＣＰＵ１６１に対して出力される。
【００２５】
キースイッチ部１２は、例えば、図５に示すように、モード設定スイッチ１２１と、就寝スイッチ１２２と、起床スイッチ１２３と、選択スイッチ１２４と、決定スイッチ１２５等を備えている。そして、これらスイッチの操作信号はＣＰＵ１６１に対して出力される。
【００２６】
これらスイッチのうち、モード設定スイッチ１２１は、例えば、モード設定処理（後述）にて実行する事前設定モード、第一の測定モード、第二の測定モード等の処理モードを設定するためのスイッチである。
就寝スイッチ１２２は、例えば、モード設定処理における各モードの起動に係り、ユーザの就寝準備の際に操作されるスイッチである。
起床スイッチ１２３は、例えば、事前設定処理においてユーザの起床の際に操作されるスイッチである。
【００２７】
選択スイッチ１２４は、状況指定手段として、例えば、就寝前状況メニューｇ１（図１２（ａ）参照）にて、ユーザが就寝前（例えば、就寝３０分〜１時間前）に行った状況を選択指示（指定）するためのスイッチである。
また、選択スイッチ１２４は、起床時状況メニューｇ２（図１２（ｂ）参照）にて、ユーザの起床時の状況を選択指示するためのスイッチである。
さらに、選択スイッチ１２４は、時間指定手段として、例えば、眠り希望時間選択画面ｇ３（図１５（ｂ）参照）にて、ユーザの眠り希望時間を選択指示（指定）するためのスイッチである。
【００２８】
決定スイッチ１２５は、例えば、選択スイッチ１２４により選択された各項目の選択指示を決定するためのスイッチである。
【００２９】
本実施形態の睡眠センサー１７は、ユーザの睡眠状態の検出のために毛細動脈Ｂにおける脈拍数（生体情報）を検出するものである。
身体の脈拍数と睡眠状態（浅い、深い）とは相関し、身体の睡眠状態が深いと脈拍数は低くなり、睡眠状態が浅いと脈拍数は高くなることが知られている。従って、本実施形態の睡眠センサー１７は、この原理を利用し、ユーザの睡眠状態を検出するために毛細動脈Ｂにおける脈拍数（生体情報）を検出するように構成したものである。
この睡眠センサー１７は、具体的には、例えば、図４及び図５等に示すように、ユーザの腕Ａに接触する裏蓋１８（接触部）に設けられ、発光素子１７１と、受光素子１７２と、脈拍数検出部１７３等を備えている。
【００３０】
このうち、裏蓋１８は、例えば、その中央部に少なくとも脈拍の検出に係る所定波長の光を透過させる透明ガラス１８１を備えている。
また、裏蓋１８の腕Ａ側の面には、腕周り方向に沿う方向の両端部（例えば、図４における左右両端部）に、環状の外光侵入防止部１８２が設けられている。この外光侵入防止部１８２は、腕Ａ側に突出するような形状に形成され、発光素子１７１から発せられ腕Ａの毛細動脈Ｂにて反射した光（詳細後述）の検出に妨げとなる外光の侵入を防止する働きをする。
また、裏蓋１８の腕Ａ側の面であって、腕周り方向に沿う方向に直交する方向の両端部には、例えば、装着部側腕密着部２１と略同様に、形状記憶性の低反発素材（例えば、低反発ウレタン等）からなり、腕Ａの表面の形状に応じて変形する本体側腕密着部１８３が設けられている。これにより、睡眠センサー付腕時計１００の腕Ａに対する密着性を高めることができるようになっている（図２参照）。
【００３１】
発光素子１７１は、例えば、裏蓋１８の透明ガラス１８１を介して腕Ａに向けて所定波長の光を照射するものである。
受光素子１７２は、例えば、発光素子１７１から腕Ａの所定部分に照射された光のうち、腕Ａの内部を通る毛細動脈Ｂを流れる血液中のヘモグロビンにより吸収されずに当該毛細動脈Ｂにて反射して散乱する光を透明ガラス１８１を介して受光するようになっている。
脈拍数検出部１７３は、例えば、受光素子１７２による受光量の変化に基づいて脈拍数を検出するようになっている。即ち、血液の脈動により毛細動脈Ｂ中を流れるヘモグロビンの量が波動的に変化するので、ヘモグロビンに吸収される光も波動的に変化することとなる。そこで、実施形態の脈拍数検出部１７３は、このような原理に基づき、毛細動脈Ｂで反射して受光素子１７２で検出される受光量の変化に基づいて、脈波情報を取得し、当該脈波から脈拍間隔を算出して脈拍数を検出するようになっている。そして、脈拍数検出部１７３は、検出した脈拍数に係る信号をＣＰＵ１６１に対して出力するようになっている。
【００３２】
報知部１９は、例えば、ＣＰＵ１６１の制御下にて、起床時であることをアラーム音により報知するものであり、表示部１４の場合と同様、報知制御手段を構成する。
なお、報知部１９は、例えば、アラーム音に替えて、振動や香りを発生させることにより起床時であることを報知するようにしても良い。
【００３３】
プリント基板１６には、例えば、ＣＰＵ（Central Processing Unit）１６１、ＲＯＭ（Read Only Memory）１６２、ＲＡＭ（Random Access Memory）１６３等が実装されている。
【００３４】
ＣＰＵ１６１は、例えば、所定のタイミングか、或いはキースイッチ部１２から入力された操作信号等に基づいて、ＲＯＭ１６２に格納されている各種プログラムを読み出してＲＡＭ１６３の作業領域に展開し、当該プログラムに従って各種処理を実行するものである。具体的には、ＣＰＵ１６１は、例えば、計時部１５１で計時される現在時刻データに基づいて、所定の表示信号を表示部１４に出力して現在時刻を表示させる等の各種制御を行うようになっている。
【００３５】
ＲＯＭ１６２は、読み出し専用のメモリであり、例えば、入眠時間取得プログラム１６２ａ、起床予想時算出プログラム１６２ｂ、睡眠状態検出プログラム１６２ｃ、第一の睡眠状態判定プログラム１６２ｄ、起床予想時特定プログラム１６２ｅ、第二の睡眠状態判定プログラム１６２ｆ、第一の報知制御プログラム１６２ｇ、第二の報知制御プログラム１６２ｈ等を記憶している。
【００３６】
このうち、入眠時間取得プログラム１６２ａは、ＣＰＵ１６１を入眠時間取得手段として機能させるものである。即ち、入眠時間取得プログラム１６２ａは、睡眠センサー１７により検出された脈拍数に基づいて、就寝を開始してから入眠するまでの入眠時間を取得する入眠時間取得処理に係る機能をＣＰＵ１６１に実現させるためのプログラムである。具体的には、入眠時間取得プログラム１６２ａは、ＣＰＵ１６１によって、睡眠センサー１７にて検出される脈拍数の変化から就寝後に入眠した時刻を特定し、当該入眠した時刻と就寝時刻とから入眠時間を算出するためのものである。
ここで、入眠の判定は、例えば、就寝後の脈拍数の３分間の平均値が覚醒状態の基本値よりも５％以上減少した状態が４分間連続した時点や、就寝後の脈拍数の３分間の平均値が基本値よりも７％以上減少した時点や、増分３未満で、且つ、ばらつきが７未満となった時点を入眠時刻とすることにより行われる。勿論、これに限定されるものではない。
【００３７】
また、起床予想時算出プログラム１６２ｂは、ＣＰＵ１６１を起床予想時算出手段として機能させるものである。即ち、起床予想時算出プログラム１６２ｂは、ＲＡＭ１６３に入眠時間情報を事前に記憶しておいた後に、ユーザによるキースイッチ部１２の所定操作に基づいて眠り希望時間を指定すると、当該眠り希望時間とＲＡＭ１６３に記憶されている入眠時間とに基づいて、起床予想時刻及び起床予想時間を算出する起床予想時算出処理に係る機能をＣＰＵ１６１に実現させるためのプログラムである。具体的には、起床予想時算出プログラム１６２ｂは、第一の測定モード（後述）にて、ＣＰＵ１６１によって、就寝前の状況に対応する複数の入眠時間の平均値を算出し、当該平均値と指定された眠り希望時間とを加算して現在時刻から所定時間経過後の起床予想時間を算出したり、当該起床予想時間に現在時刻を加算して起床予想時刻を算出したりするためのものである。
なお、起床予想時刻及び起床予想時間の算出には、入眠時間の平均値に代えて、例えば、直近の事前設定処理にて設定された入眠時間や、ユーザが任意に選択指示した入眠時間を用いても良い。
【００３８】
睡眠状態検出プログラム１６２ｃは、ユーザによるキースイッチ部１２の所定操作による就寝前の状況の指定後、睡眠センサー１７により検出された脈拍数に基づいて、身体が睡眠状態から覚醒状態となる起床時刻までの睡眠状態を検出する睡眠状態検出処理に係る機能をＣＰＵ１６１に実現させるためのプログラムである。具体的には、睡眠状態検出プログラム１６２ｃは、ＣＰＵ１６１によって、睡眠中に、睡眠センサー１７により検出される脈拍数の変化からユーザの身体の睡眠状態、即ち、深い睡眠状態（ノンレム睡眠）であるか浅い睡眠状態（レム睡眠）であるか、睡眠状態から覚醒状態となったか否かを検出するためのものである。そして、深い睡眠状態や浅い睡眠状態となった時刻や覚醒状態となった時刻（起床時刻）は、ＣＰＵ１６１の制御下にて、計時部１５１から取得されてＲＡＭ１６３に睡眠状態情報１６３ｂとして記憶されるようになっている。
従って、ＣＰＵ１６１は、睡眠状態検出プログラム１６２ｃを実行することにより、睡眠センサー１７及び計時部１５１と協働して、身体が睡眠状態から覚醒状態となった起床時刻を検出する起床時刻検出手段を構成している。
【００３９】
また、第一の睡眠状態判定プログラム１６２ｄは、ＣＰＵ１６１を睡眠状態判定手段として機能させるためのものである。即ち、第一の睡眠状態判定プログラム１６２ｄは、就寝後に睡眠センサー１７により検出される脈拍数に基づいて、起床予想時算出処理にて算出された起床予想時刻到来時及び起床予想時間経過時の近くの時点で身体が浅い睡眠状態となっているか否かを判定する第一の睡眠状態判定処理に係る機能をＣＰＵ１６１に実現させるためのプログラムである。具体的には、第一の睡眠状態判定プログラム１６２ｄは、第一の測定モードにて、ＣＰＵ１６１によって、睡眠センサー１７にて検出される脈拍数の変化から、計時部１５１により計時される時間が起床予想時刻到来時又は起床予想時間経過時の近くの時点、例えば、起床予想時刻又は起床予想時間までの間で、脈拍数が増加してピークに達した後、所定時間（例えば、３分間）連続して減少したか否かに応じて身体が浅い睡眠状態となっているか否かを判定するためのものである（例えば、図１６における眠り希望時間１が指定された場合に相当する）。
【００４０】
ここで、起床予想時刻到来時及び起床予想時間経過時の近くの時点で身体が浅い睡眠状態となっているか否かの判定は、例えば、すっきりとした目覚めとなる時刻を優先するようにしても良いし、起床時刻（時間）を優先するようにしても良い。
即ち、例えば、身体の浅い睡眠状態となる時刻が起床予想時刻の到来後又は起床予想時間の経過後であっても１０分程度であれば、すっきりとした目覚めを優先して、起床予想時刻の到来後又は起床予想時間の経過後に身体が浅い睡眠状態となったと判定するようにしても良い。これにより、その後の第二の報知制御処理（後述）にて、身体が浅い睡眠状態となった時刻にアラームで報知することができることとなる（例えば、図１６における眠り希望時間２が指定された場合に相当する）。
一方、起床時刻を優先する場合には、ユーザが希望する時間を大幅に超えて目覚めると、アラームとして使い勝手が悪くなることから、起床予想時刻到来時又は起床予想時間経過時よりも１０分以上経過後に身体が浅い睡眠状態となると判断される場合には、当該浅い睡眠状態よりも一つ前の浅い睡眠状態となった時刻に身体が浅い睡眠状態となったと判定するようにしても良い（例えば、図１６における眠り希望時間３が指定された場合に相当する）。
なお、ノンレム睡眠からレム睡眠を経てノンレム睡眠となる睡眠周期（例えば、９０分程度）の半分（例えば、４５分）を基準にして、身体が浅い睡眠状態となる時刻を一つ前の浅い睡眠状態とするか否かを判定するようにしても良い。
【００４１】
また、起床予想時特定プログラム１６２ｅは、第二の測定モード（後述）にて、ＣＰＵ１６１を起床予想時特定手段として機能させるためのものである。即ち、起床予想時特定プログラム１６２ｅは、ＲＡＭ１６３に就寝前の状況と身体の起床時を対応付けて睡眠状態情報１６３ｂとして記憶しておいた後に、ユーザによるキースイッチ部１２の所定操作に基づいて就寝前の状況を指定すると、当該就寝前の状況に対応付けられてＲＡＭ１６３に記憶されている身体の起床時を起床予想時刻として特定する起床予想時特定処理に係る機能をＣＰＵ１６１に実現させるためのプログラムである。
【００４２】
第二の睡眠状態判定プログラム１６２ｆは、ＣＰＵ１６１を睡眠状態判定手段として機能させるためのものである。即ち、第二の睡眠状態判定プログラム１６２ｆは、就寝後に睡眠センサー１７により検出される脈拍数に基づいて、起床予想時特定処理にて特定された起床予想時刻到来時の近くの時点で身体が浅い睡眠状態となっているか否かを判定する第二の睡眠状態判定処理に係る機能をＣＰＵ１６１に実現させるためのプログラムである。具体的には、第二の睡眠状態判定プログラム１６２ｆは、第二の測定モードにて、ＣＰＵ１６１によって、第一の睡眠状態判定処理と略同様に、睡眠センサー１７により検出される脈拍数の変化から、計時部１５１により計時される時間が起床予想時刻到来時の近く、例えば、起床予想時刻の前後１０分程度のアラームとしての許容範囲内で身体が浅い睡眠状態となっているか否かを判定するためのものである。
ここで、起床予想時刻の近くの許容範囲を、起床予想時の前後１０分以内としたが、これに限られるものではない。
【００４３】
第一の報知制御プログラム１６２ｇは、ＣＰＵ１６１を報知制御手段として機能させるためのものである。即ち、第一の報知制御プログラム１６２ｇは、起床予想時算出処理により算出された起床予想時刻及び起床予想時間や、起床予想時特定処理により特定された起床予想時刻を報知部１９から報知する第一の報知制御処理に係る機能をＣＰＵ１６１に実現させるためのプログラムである。具体的には、第一の報知制御プログラム１６２ｇは、第一の測定モードや第二の測定モードにて、ＣＰＵ１６１によって、就寝前に起床予想時刻や起床予想時間を表示部１４に表示させるためのものである。
【００４４】
第二の報知制御プログラム１６２ｈは、ＣＰＵ１６１を報知制御手段として機能させるためのものである。即ち、第二の報知制御プログラム１６２ｈは、第一の睡眠状態判定処理又は第二の睡眠状態判定処理により身体が浅い睡眠状態となっていると判定した場合、起床時であることを報知部１９から報知させる第二の報知制御処理に係る機能をＣＰＵ１６１に実現させるためのプログラムである。具体的には、第二の報知制御プログラム１６２ｈは、第一の測定モードや第二の測定モードにて、ＣＰＵ１６１によって、起床予想時刻到来時や起床予想時間経過時の近くの時点で睡眠中の身体が浅い睡眠状態となった場合に、起床時であることを報知部１９からアラームにより報知させるためのものである。
【００４５】
また、ＲＯＭ１６２には、例えば、就寝前状況メニューｇ１、起床時状況メニューｇ２、眠り希望時間選択画面ｇ３、起床予想時画面ｇ４等の画面情報が記憶されている。
【００４６】
就寝前状況メニューｇ１の画面情報は、例えば、所定のカラム番号（「１」〜「１０」）と、「飲食」、「運動（フィットネス）」、「運動（ヨガ）」、「飲酒」、「勉強」、「香をたく」等の内容が対応付けられたものである（図６参照）。
起床時状況メニューｇ２の画面情報は、例えば、所定のカラム番号（「１」〜「１０」）と、「極めてすっきり」、「ややすっきり」、「二日酔い状態」、「極めて目覚め悪い」等の内容が対応付けられたものである（図７参照）。
眠り希望時間選択画面ｇ３の画面情報は、例えば、所定のカラム番号（「１」〜「１０」）と、「３０分」、「４５分」、「６０分（１時間）」、「７５分」、「９０分（１時間半）」、「Ｎ分（Ｍ時間）」等の内容が対応付けられたものである（図１５（ｂ）参照）。
起床予想時画面ｇ４の画面情報は、例えば、起床予想時間や起床予想時刻並びに起床状態予想コメント等に係るものである（図１５（ｃ）及び図１８（ｂ）参照）。
【００４７】
ＲＡＭ１６３は、例えば、揮発性の半導体メモリであり、ＣＰＵ１６１の制御下にてＲＯＭ１６２から読み出されたプログラムやデータ等の格納領域や作業領域等を構成している。
【００４８】
また、ＲＡＭ１６３は入眠時間記憶手段として機能するものである。このＲＡＭ１６３は、例えば、第一の測定モードや第二の測定モードにおけるＣＰＵ１６１によるアラーム処理の前（事前）に、入眠時間取得処理により取得され、ユーザが就寝を開始してから入眠するまでの入眠時間情報１６３ａ（図８参照）を記憶する。
ここで、「入眠時間情報１６３ａ」とは、例えば、図８に示すように、就寝した日付毎に、就寝時刻と入眠時刻と入眠時間とがそれぞれ対応付けられた情報である。
【００４９】
さらに、ＲＡＭ１６３は、ＣＰＵ１６１によるアラーム処理の前（事前）に、キースイッチ部１２の所定操作に基づいて指定されたユーザの就寝前の状況と、睡眠状態検出処理により検出され、身体の睡眠状態や睡眠状態から覚醒状態となった起床時刻等の情報とが対応付けられた睡眠状態情報１６３ｂ（図９参照）を記憶する。
ここで、「睡眠状態情報１６３ｂ」とは、例えば、図９に示すように、就寝した日付毎に、就寝前の状況と就寝時刻と入眠時刻と睡眠状態（深い睡眠状態や浅い睡眠状態）と起床時刻と起床時の状況（評価）とがそれぞれ対応付けられた情報である。
従って、ＲＡＭ１６３は、就寝前の状況と身体が睡眠状態から覚醒状態となった起床時刻とを対応付けて事前に記憶する起床時刻記憶手段を構成している。
【００５０】
次に、本実施形態の睡眠センサー付腕時計１００の使用方法及び使用時における動作処理について、図１０〜図１９を参照して説明する。
ここで、図１０は、モード設定処理に係る動作の一例を示すフローチャートである。
【００５１】
本実施形態の睡眠センサー付腕時計１００をアラーム（目覚まし時計）として使用する際には、先ず、所定期間（例えば、１ヶ月間）内のユーザの入眠時間や就寝前の状況に対応した睡眠状態等を測定して、ＲＡＭ１６３の入眠時間情報１６３ａや睡眠状態情報１６３ｂに事前に格納（事前設定）した後、これらの情報を用いてアラーム処理を行うようになっている。
具体的には、睡眠センサー付腕時計１００にあっては、図１０に示すように、モード設定処理にて、ＣＰＵ１６１は、ユーザによるキースイッチ部１２の所定操作に基づいて、事前設定処理の実行に係る事前設定モード、第一のアラーム処理の実行に係る第一の測定モード、第二のアラーム処理の実行に係る第二の測定モードの何れかのモードの実行が指示されているかを判定する（ステップＳ１）。
そして、ステップＳ１にて、ＣＰＵ１６１は、事前設定モードの実行が指示されていると判定するとステップＳ２に移行して事前設定処理の実行を制御し、また、第一の測定モードの実行が指示されていると判定するとステップＳ３に移行して第一のアラーム処理の実行を制御し、また、第二の測定モードの実行が指示されていると判定するとステップＳ４に移行して第二のアラーム処理の実行を制御する。
以下、（１）事前設定モードにおける事前設定処理、（２）第一の測定モードにおける第一のアラーム処理の実行、（３）第二の測定モードにおける第二のアラーム処理の実行をこの順に説明する。
【００５２】
先ず、事前設定モードにおける事前設定処理について、図１１〜図１３を参照して説明する。
図１１は、事前設定処理に係る動作の一例を示すフローチャートである。また、図１２は、事前設定処理にて睡眠センサー付腕時計１００に表示される表示画面を示す図であり、このうち、図１２（ａ）は就寝前状況メニューｇ１を、図１２（ｂ）は起床時状況メニューｇ２をそれぞれ表している。また、図１３は、事前設定処理における脈拍数の時間的推移を模式的に示した図である。
【００５３】
事前設定処理にあっては、先ず、ＣＰＵ１６１は、就寝前にユーザによる就寝スイッチ１２２が押圧操作されているか否かを判定する（ステップＳ２０１）。
ここで、就寝スイッチ１２２が押圧操作されていると判定されると（ステップＳ２０１；ＹＥＳ）、ＣＰＵ１６１は、ＲＯＭ１６２から就寝前状況メニューｇ１（図１２（ａ）参照）の画像情報を読み出して表示部１４に表示させる（ステップＳ２０２）。そして、当該就寝前状況メニューｇ１が表示された状態で、ＣＰＵ１６１は、ユーザによって選択スイッチ１２４が押圧操作されて就寝前に行った行動の種類（例えば、「飲酒」）が選択され、それを決定するための決定スイッチ１２５が押圧操作されたと判定すると（ステップＳ２０３；ＹＥＳ）、睡眠センサー１７を制御して脈拍数の検出を開始させるとともに、選択された就寝前の状況に対応するカラム番号（例えば、「飲酒」に対応する「４」）を就寝前状況として、また決定スイッチ１２５が操作された時刻を就寝時刻としてＲＡＭ１６３にそれぞれ睡眠状態情報１６３ｂとして記憶させる（ステップＳ２０４）。
【００５４】
その後、ＣＰＵ１６１は、入眠時間取得プログラム１６２ａの実行に基づいて、睡眠センサー１７にて検出される脈拍数の変化に基づいて身体が覚醒状態から睡眠状態に移行して入眠したか否かを判定する（ステップＳ２０５；図１３参照）。
ここで、入眠したと判定されると（ステップＳ２０５；ＹＥＳ）、ＣＰＵ１６１は、計時部１５１にて計時された時刻を入眠時刻とし、当該入眠時刻をＲＡＭ１６３に睡眠状態情報１６３ｂとして記憶させた後、入眠時刻と就寝時刻から入眠時間を算出し、その入眠時間をＲＡＭ１６３に入眠時間情報１６３ａとして記憶させるとともに、睡眠状態検出プログラム１６２ｃを実行して、睡眠状態をリアルタイムで検出していきＲＡＭ１６３に睡眠状態情報１６３ｂとして記憶させる（ステップＳ２０６）。
【００５５】
その後、ＣＰＵ１６１は、睡眠センサー１７により検出される脈拍数の変化に基づいて、身体が睡眠状態から覚醒状態に移行して起床したか否か、或いは、ユーザによる起床スイッチ１２３が押圧操作されているか否かを判定する（ステップＳ２０７；図１３参照）。
ここで、起床したか、或いは、起床スイッチ１２３が操作されたと判定されると（ステップＳ２０７；ＹＥＳ）、ＣＰＵ１６１は、計時部１５１にて計時される時刻を起床時刻とし、その起床時刻をＲＡＭ１６３に睡眠状態情報１６３ｂとして記憶させるとともに、ＲＯＭ１６２から起床時状況メニューｇ２（図１２（ｂ）参照）の画像情報を読み出して表示部１４に表示させる（ステップＳ２０８）。そして、当該起床状況メニューが表示された状態で、ＣＰＵ１６１は、ユーザによって選択スイッチ１２４が押圧操作されて起床時の状況の種類が選択され、それを決定するための決定スイッチ１２５が押圧操作されていると判定すると（ステップＳ２０９；ＹＥＳ）、起床時の状況をＲＡＭ１６３に睡眠状態情報１６３ｂとして記憶させる（ステップＳ２１０）。
これにより、事前設定処理を終了する。
【００５６】
次に、第一の測定モードにおけるアラーム処理（以下、「第一のアラーム処理」という。）について、図１４〜図１６を参照して説明する。
図１４は、第一のアラーム処理に係る動作の一例を示すフローチャートである。また、図１５は、第一のアラーム処理にて睡眠センサー付腕時計１００に表示される表示画面を示す図であり、このうち、図１５（ａ）は就寝前状況メニューｇ１を、図１５（ｂ）は眠り希望時間選択画面ｇ３を、図１５（ｃ）は第一の起床予想時画面ｇ４１をそれぞれ表している。また、図１６は、第一のアラーム処理における脈拍数の時間的推移を模式的に示した図である。
【００５７】
第一のアラーム処理にあっては、先ず、ＣＰＵ１６１は、就寝前にユーザによる就寝スイッチ１２２が押圧操作されているか否かを判定する（ステップＳ３０１）。
ここで、就寝スイッチ１２２が押圧操作されていると判定されると（ステップＳ３０１；ＹＥＳ）、ＣＰＵ１６１は、ＲＯＭ１６２から読み出した画像情報に基づき就寝前状況メニューｇ１（図１５（ａ）参照）及び眠り希望時間選択画面ｇ３（図１５（ｂ）参照）を表示部１４に表示させる（ステップＳ３０２）。そして、当該就寝前状況メニューｇ１や眠り希望時間選択画面ｇ３が表示された状態で、ＣＰＵ１６１は、ユーザによって選択スイッチ１２４が押圧操作されて就寝前に行った行動の種類（例えば、「勉強」）や眠り希望時間（例えば、「６０分（１時間）」）が選択され、それらを決定するための決定スイッチ１２５が押圧操作されたと判定すると（ステップＳ３０３；ＹＥＳ）、睡眠センサー１７を制御して脈拍数の検出を開始させるとともに、選択された就寝前の状況に対応するカラム番号（例えば、「勉強」に対応する「５」）及び選択された眠り希望時間に対応するカラム番号（例えば、「６０分（１時間）」に対応する「３」）並びに決定スイッチ１２５が操作された時刻を就寝時刻として取得してＲＡＭ１６３に記憶させる（ステップＳ３０４）。
【００５８】
その後、ＣＰＵ１６１は、起床予想時算出プログラム１６２ｂの実行に基づいて、就寝前の状況に対応する複数の入眠時間をＲＡＭ１６３の睡眠状態情報１６３ｂの中から読み出した後、これらの平均値（例えば、「３０分」）を算出して、当該平均値と指定された眠り希望時間から起床予想時間（例えば、「９０分」）及び起床予想時刻（例えば、「２３：００」）を算出する（ステップＳ３０５）。そして、ＣＰＵ１６１は、第一の報知制御プログラム１６２ｇを実行して、就寝前に表示部１４に起床予想時刻及び起床予想時間（図１５（ｃ）参照）を表示させるとともに、睡眠状態検出プログラム１６２ｃを実行して、睡眠状態をリアルタイムで検出してＲＡＭ１６３に記憶させる（ステップＳ３０６）。
【００５９】
その後、ＣＰＵ１６１は、第一の睡眠状態判定プログラム１６２ｄの実行に基づいて、睡眠センサー１７により検出される脈拍数の変化に基づいて身体が覚醒状態から睡眠状態に移行して、起床予想時刻の到来時又は起床予想時間の経過時の近くの時点であって当該起床予想時刻の到来時又は起床予想時間の経過時までに身体が浅い睡眠状態となっているか否かを判定する（ステップＳ３０７；図１６参照）。
ここで、身体が浅い睡眠状態となっていると判定されると（ステップＳ３０７；ＹＥＳ）、ＣＰＵ１６１は、第二の報知制御プログラム１６２ｈを実行して、起床時であることを報知部１９からアラームにより報知させる（ステップＳ３０８）。
これにより、第一のアラーム処理を終了する。
【００６０】
次に、第二の測定モードにおけるアラーム処理（以下、「第二のアラーム処理」という。）について、図１７〜図１９を参照して説明する。
図１７は、第二のアラーム処理に係る動作の一例を示すフローチャートである。また、図１８は、第二のアラーム処理にて睡眠センサー付腕時計１００に表示される表示画面を示す図であり、このうち、図１８（ａ）は就寝前状況メニューｇ１を、図１８（ｂ）は第二の起床予想時画面ｇ４２をそれぞれ表している。また、図１９は、第二のアラーム処理における脈拍数の時間的推移を模式的に示した図である。
【００６１】
第二のアラーム処理にあっては、先ず、ＣＰＵ１６１は、就寝前にユーザによる就寝スイッチ１２２が押圧操作されているか否かを判定する（ステップＳ４０１）。
ここで、就寝スイッチ１２２が押圧操作されていると判定されると（ステップＳ４０１；ＹＥＳ）、ＣＰＵ１６１は、ＲＯＭ１６２から就寝前状況メニューｇ１（図１８（ａ）参照）の画像情報を読み出して表示部１４に表示させる（ステップＳ４０２）。そして、当該就寝前状況メニューｇ１が表示された状態で、ＣＰＵ１６１は、ユーザによって選択スイッチ１２４が押圧操作されて就寝前に行った行動の種類（例えば、「勉強」）が選択され、それを決定するための決定スイッチ１２５が押圧操作されたと判定すると（ステップＳ４０３；ＹＥＳ）、決定スイッチ１２５が操作された時刻を就寝時刻として取得してＲＡＭ１６３に記憶させる（ステップＳ４０４）。
【００６２】
続けて、ＣＰＵ１６１は、ＲＡＭ１６３の睡眠状態情報１６３ｂに、取得した就寝時刻（以下、「取得就寝時刻」と言う。）に相当する就寝時刻（以下、「相当就寝時刻」と言う。）が記憶されているか、即ち、取得就寝時刻の近く（例えば、前後１０分程度以内）に事前設定処理にて記憶された相当就寝時刻が睡眠状態情報１６３ｂに記憶されているか否かを判定する（ステップＳ４０５）。
ここで、睡眠状態情報１６３ｂに相当就寝時刻が記憶されていると判定されると（ステップＳ４０５；ＹＥＳ）、ＣＰＵ１６１は、睡眠センサー１７を制御して脈拍数の検出を開始させるとともに、起床予想時特定プログラム１６２ｅを実行して、選択指示された就寝前の状況に対応した起床時刻及び起床時の状況をＲＡＭ１６３の睡眠状態情報１６３ｂから取得特定し、当該起床時刻を起床予想時刻（例えば、「７：００」）とし、且つ、起床時の状況を起床状態予想コメント（例えば、「ややすっきり」状態で目覚めます）として表示部１４に表示させる（ステップＳ４０６）。
【００６３】
その後、ＣＰＵ１６１は、入眠時間取得プログラム１６２ａの実行に基づいて、睡眠センサー１７により検出される脈拍数の変化に基づいて身体が覚醒状態から睡眠状態に移行して入眠したか否かを判定する（ステップＳ４０７；図１９参照）。
ここで、入眠したと判定されると（ステップＳ４０７；ＹＥＳ）、ＣＰＵ１６１は、睡眠状態検出プログラム１６２ｃを実行して、睡眠状態をリアルタイムで検出していきＲＡＭ１６３に記憶させる（ステップＳ４０８）。
【００６４】
その後、ＣＰＵ１６１は、第二の睡眠状態判定プログラム１６２ｆの実行に基づいて、睡眠センサー１７により検出される脈拍数の変化に基づいて身体が覚醒状態から睡眠状態に移行して、起床予想時刻の近くの時点であって当該起床予想時刻までに身体が浅い睡眠状態となっているか否かを判定する（ステップＳ４０９；図１９参照）。
ここで、身体が浅い睡眠状態となっていると判定されると（ステップＳ４０９；ＹＥＳ）、ＣＰＵ１６１は、第二の報知制御プログラム１６２ｈの実行に基づいて、起床時であることを報知部１９からアラームにより報知させる（ステップＳ４１０）。
【００６５】
なお、ステップＳ４０５にて、就寝時刻がＲＡＭ１６３に睡眠状態情報１６３ｂとして記憶されていないと判定されると（ステップＳ４０５；ＮＯ）、当該第二のアラーム処理を終了する。
【００６６】
以上のように、本実施形態の睡眠センサー付腕時計１００によれば、第一のアラーム処理において、就寝を開始してから入眠するまでの入眠時間に係る入眠時間情報１６３ａを事前に記憶しておいた後に、ユーザによるキースイッチ部１２の所定操作に基づいて眠り希望時間を指定すると、当該眠り希望時間と事前に記憶されている入眠時間とに基づいて、起床予想時刻や起床予想時間を算出することができる。即ち、ユーザの個人差を考慮した入眠時間に基づいて、起床予想時刻や起床予想時間を算出することができる。
そして、当該起床予想時刻到来時や起床予想時間経過時の近くの時点で身体が浅い睡眠状態となった場合に、起床時であることを報知部１９からアラームにより報知することができるので、ユーザにとって最適な起床時刻を報知することができ、これにより、ユーザをすっきりした目覚めで起床させることができる。
また、第二のアラーム処理において、身体が睡眠状態から覚醒状態となった起床時刻を身体の就寝前の状況と対応付けて睡眠状態情報１６３ｂとして事前に記憶しておいた後に、ユーザによるキースイッチ部１２の所定操作に基づいて就寝前の状況を指定すると、当該就寝前の状況に対応付けられて記憶されている起床時刻を起床予想時刻として特定することができる。即ち、ユーザの就寝前の状況を考慮して、起床予想時刻を特定することができる。
そして、当該起床予想時刻到来時の近くの時点で身体が浅い睡眠状態となった場合に、起床時であることを報知部１９からアラームにより報知することができるので、ユーザにとって最適な起床時刻を報知することができ、これにより、ユーザをすっきりした目覚めで起床させることができる。
【００６７】
また、就寝前に起床予想時刻や起床予想時間を表示部１４に報知することで、就寝前にユーザは起床予想時刻や起床予想時間を認識することができることとなって、より使い勝手の良い睡眠センサー付腕時計１００を提供することができる。
【００６８】
なお、本発明は、上記実施形態に限定されることなく、本発明の趣旨を逸脱しない範囲において、種々の改良並びに設計の変更を行っても良い。
例えば、上記実施形態では、眠り希望時間の指定方法として、眠り希望時間選択画面ｇ３（図１５（ｂ）参照）に表示された複数の時間の中から選択スイッチ１２４の所定操作に基づいて所望の眠り希望時間を選択するような構成としたが、これに限られるものではなく、当該眠り希望時間選択画面ｇ３にて所望の眠り希望時間を直接数値で入力して指定するようにしても良い。
【００６９】
また、上記実施形態では、起床予想時算出処理にて、起床予想時刻及び起床予想時間の両方を算出するようにしたが、これに限られるものではなく、起床予想時刻及び起床予想時間のうちの少なくとも一方を算出すれば良い。
さらに、上記実施形態では、起床予想時特定処理にて、起床予想時刻のみを特定するようにしたが、これに限られるものではなく、起床予想時刻及び起床予想時間のうちの少なくとも一方を算出すれば良い。即ち、ＣＰＵ１６１は、睡眠状態情報１６３ｂの起床時刻及び現在時刻等に基づいて、起床予想時間を算出して特定するようにしても良い。
【００７０】
さらに、睡眠センサー１７は、上記実施形態に例示したものに限られるものではない。即ち、血流は体動の影響も受けるため、上記実施形態の睡眠センサー１７の脈拍数検出部１７３にて検出される脈拍数には、脈拍に同期する脈拍成分だけでなく、体動に同期する体動成分も含まれる場合がある。また、照射光の全てが毛細動脈Ｂに到達するわけではなく、腕Ａ（身体）の表面で反射した反射光（表面反射光）も受光素子１７２にて受光され、この表面反射光にも体動成分が多く含まれている。
そこで、上記実施形態における睡眠センサー１７に替えて、体動成分を考慮した睡眠センサーを備えるようにしても良い。即ち、睡眠センサーに、例えば、吸光特性の異なる赤外光及び緑色光を照射する発光素子をそれぞれ備え、緑色発光素子を発光させることで脈拍成分と体動成分とからなる脈波情報を検出し、赤外発光素子を発光させることで脈拍成分に比べて体動成分を主とする体動情報を検出するようにして、脈波情報及び体動情報に基づいて脈拍数を検出するようにしても良い。
加えて、体動情報を入眠の判定に用いても良く、具体的には、例えば、体動が所定時間（例えば、５分間）以上連続してなく、且つ、脈拍数が覚醒状態の基本値よりも所定拍数（例えば、５拍）以上低下した時点を入眠時刻と判定するようにしても良い。
【００７１】
また、睡眠状態の判定方法は、上記実施形態に例示したものに限られるものではなく、例えば、脈拍間隔を周波数解析することで取得した周波数成分の大きさに基づいて、レム睡眠やノンレム睡眠を検出するようにしても良い。
【００７２】
さらに、上記実施形態における事前設定処理にて、睡眠途中で目覚めた場合に、その時刻及び行動等の途中経過も睡眠状態情報１６３ｂとして記憶するようにしても良く、これら考慮することよりユーザの生活リズムをより考慮した使い勝手の良い睡眠センサー付腕時計を提供することができる。
【００７３】
また、上記実施形態では、就寝前の状況を指定して、当該就寝前の状況に対応する入眠時間を入眠時間情報１６３ａから取得して、取得した入眠時間に基づいて起床予想時刻等を算出するようにしたが（図１４及び図１５参照）、就寝前の状況を指定するか否かは適宜変更することができる。即ち、事前設定モードにて、就寝前の状況を指定せずに就寝した後、算出された入眠時間を入眠時間情報１６３ａに記憶するようにして、就寝前の状況を考慮しない入眠時間を用いて起床予想時刻等を算出するようにしても良い。
このような構成としても、ユーザの個人差を考慮した入眠時間に基づいて、起床予想時刻や起床予想時間を算出することができることとなって、当該起床予想時刻や起床予想時間をユーザにとって最適な起床時刻として報知することができ、これにより、ユーザをすっきりした目覚めで起床させることができる。
【００７４】
さらに、上記実施形態では、第一の睡眠状態判定処理や第二の睡眠状態判定処理にて、起床予想時刻到達時や起床予想時間経過時の近くの時点で身体が浅い睡眠状態となっていると判定された場合に、起床時であることを報知するようにしたが、これに限られるものではなく、例えば、第一の睡眠状態判定処理や第二の睡眠状態判定処理を行わずに、第一のアラーム処理にて算出された起床予想時刻到来時及び起床予想時間経過時や、第二のアラーム処理にて特定された起床予想時刻到来時にアラームで起床時であることを報知するようにしても良い。これによって、ユーザは起床時であることを認識することができることとなり、より使い勝手の良い睡眠センサー付腕時計１００を提供することができる。
【００７５】
加えて、上記実施形態では、睡眠センサー付身体装着装置として、睡眠センサー付腕時計１００を例示したが、これに限られるものではなく、睡眠センサー１７を備えて身体の各部（例えば、手足、足首等）に装着可能な装置であれば如何なるものであっても良く、例えば、電子コンパスや胸ベルト型脈拍計等であっても良い。
【００７６】
また、上記実施形態では、睡眠状態等の検出にユーザの脈拍数を用いるようにしたが、脈拍数に限られず、脈拍量変動状態、脈拍波高値変動状態などを用いても良い。また、生体情報としては脈拍に限られるものではなく、例えば、筋肉に発生する微弱な電気、いわゆる筋電または心拍などの他の生体情報を用いるようにしても良い。
【００７７】
さらに、上記実施の形態では、入眠時間取得手段、起床予想時算出手段、報知制御手段、睡眠状態判定手段、睡眠状態検出手段、起床予想時特定手段としての機能を、ＣＰＵ１６１によって、所定のプログラム等が実行されることにより実現される構成としたが、これに限られるものではなく、例えば、各種機能を実現するためのロジック回路等から構成しても良い。
【００７８】
また、本発明に係る睡眠センサー付身体装着装置に睡眠状態を報知する機能を組み込んでも良く、この場合には、ユーザが身体に装着した状態で当該身体の睡眠状態を簡便に且つ適正に検出して、当該睡眠状態となったことをユーザ等に報知するようにすることで、自動車運転中における居眠り防止を図り、安全運転の実現に寄与することができる。
【図面の簡単な説明】
【００７９】
【図１】本発明を適用した睡眠センサー付身体装着装置の好適な一実施形態として例示する睡眠センサー付腕時計を示す斜視図である。
【図２】図１の睡眠センサー付腕時計を示す側面図ある。
【図３】図１の睡眠センサー付腕時計を示す平面図である。
【図４】図１の睡眠センサー付腕時計の内部構造を模式的に示した断面図である。
【図５】図１の睡眠センサー付腕時計の要部構成を示すブロック図である。
【図６】図１の睡眠センサー付腕時計のＲＯＭに記憶されている就寝前状況メニューを示す図である。
【図７】図１の睡眠センサー付腕時計のＲＯＭに記憶されている起床時状況メニューを示す図である。
【図８】図１の睡眠センサー付腕時計のＲＡＭに記憶される入眠時間情報を示す図である。
【図９】図１の睡眠センサー付腕時計のＲＡＭに記憶される睡眠状態情報を示す図である。
【図１０】図１の睡眠センサー付腕時計によるモード設定処理に係る動作の一例を示すフローチャートである。
【図１１】図１の睡眠センサー付腕時計による事前設定処理に係る動作の一例を示すフローチャートである。
【図１２】図１１の事前設定処理にて睡眠センサー付腕時計に表示される表示画面を示す図である。
【図１３】図１１の事前設定処理における脈拍数の時間的推移を模式的に示した図である。
【図１４】図１の睡眠センサー付腕時計による第一のアラーム処理に係る動作の一例を示すフローチャートである。
【図１５】図１４の第一のアラーム処理にて睡眠センサー付腕時計に表示される表示画面を示す図である。
【図１６】図１４の第一のアラーム処理における脈拍数の時間的推移を模式的に示した図である。
【図１７】図１の睡眠センサー付腕時計による第二のアラーム処理に係る動作の一例を示すフローチャートである。
【図１８】図１７の第二のアラーム処理にて睡眠センサー付腕時計に表示される表示画面を示す図である。
【図１９】図１７の第二のアラーム処理における脈拍数の時間的推移を模式的に示した図である。
【符号の説明】
【００８０】
１００    睡眠センサー付腕時計（睡眠センサー付身体装着装置）
１２      キースイッチ部（時間指定手段、状況指定手段）
１４      表示部（報知部）
１５１    計時部（入眠時間取得手段）
１６１    ＣＰＵ（入眠時間取得手段、起床予想時算出手段、報知制御手段、睡眠状態判定手段、睡眠状態検出手段、起床予想時特定手段）
１６３    ＲＡＭ（入眠時間記憶手段、起床時刻記憶手段）
１７      睡眠センサー
１９      報知部
【図１】
2007199025.tif 000003
【図２】
2007199025.tif 000004
【図３】
2007199025.tif 000005
【図４】
2007199025.tif 000006
【図５】
2007199025.tif 000007
【図６】
2007199025.tif 000008
【図７】
2007199025.tif 000009
【図８】
2007199025.tif 000010
【図９】
2007199025.tif 000011
【図１０】
2007199025.tif 000012
【図１１】
2007199025.tif 000013
【図１２】
2007199025.tif 000014
【図１３】
2007199025.tif 000015
【図１４】
2007199025.tif 000016
【図１５】
2007199025.tif 000017
【図１６】
2007199025.tif 000018
【図１７】
2007199025.tif 000019
【図１８】
2007199025.tif 000020
【図１９】
2007199025.tif 000021